(57)【要約】【課題】多面災害適応性、現場製作の容易性、低コスト性、利便性、日常生活への浸透性、これらを実現可能な組立て型防災シェルターを提供する。【解決手段】柱を使用せず、現場製作が容易な幅広の板材のみで構成し、其々の板材に所定の間隔に切り込みを所定数入れ、その切り込み同士を井桁状に交差させて嵌合・組み立てることで強度が高い板材同士の縦横の構造体が出来上がる。この構造体を直方体の一面とし、六面を組み上げて直方体の骨格構造体をなし、その外側及び内側を板材で挟みつけることで直方体の構造物の周囲に浮力・断熱性・防音性を高める気密室をもつ居住性の高い低コストの組立て型防災シェルターを製造する。【選択図】図１
2014125817.tif 000002
【特許請求の範囲】
【請求項１】
幅広の板材であって、この板材には所定の間隔、且つ切り込み深さは板幅長の２分の1サイズとした嵌合・組み立てるための複数の切り込みが形成された複数枚を一つのグループとする横桟部材と、
幅広の板材であって、この板材には所定の間隔、且つ切り込み深さは板幅長の２分の1サイズとした嵌合・組み立てるための複数の切り込みが形成された複数枚を一つのグループとする縦桟部材とが、
上記横桟部材と縦桟部材の左右端部において、少なくとも一方に接合するときに競合・重複する部分をカットした切り欠き部とを有し、
上記の横桟部材と縦桟部材の各板材を交差させ嵌合・組み立てて井桁状の構造体を作成し、
上記井桁状の構造体を組立て内部に空間を有する直方体状の骨格構造体を形成し、
この直方体状の骨格構造体の外側面に外側板を、内側面に内側板を設けて、  中央部に居住空間を有し、各壁内に区画された複数の気密室を構成したことを特徴とする組立て型防災シェルター。
【請求項２】
請求項１において、上記内側内壁面を形成する内側板に、気密室に合わせて着脱自在なドアを取り付け物入れとして使用することを特徴とする組立て型防災シェルター。
【請求項３】
請求項１において、外側面に耐火性の高い石膏ボードなどの板材及びその保護のための金属板等を張り付けたことを特徴とする組立て型防災シェルター。
【発明の詳細な説明】
【技術分野】
【０００１】
本発明は組立て型防災シェルターに係り、地震・台風・竜巻・風水害およびこれらに起因する家屋の倒壊・土砂崩れ・火災・浸水などの事象から安全な環境を保持する主として室内に設置可能な組立て型防災シェルターに関する。
【背景技術】
【０００２】
従来の組立て型防災シェルターをみると簡易なものは地震などの発生時に家屋の倒壊から人体保護を目的とするものが多い。（特開平１０−０３７５０２、特開平１０−１８４０６８、特開２００５−０１６２９３、特開２００９−２９３３６３、特開２０１０−２２２８３０、）しかしこれらはその後の状況である雨や雪などの天候及び火災や津波などへの対応がなく不十分な面が多い。
【０００３】
建屋内に設けた防災シェルターで、家屋の倒壊後も居住空間を確保できるものもあるが、室内型ではあっても新たな設置には設備的にも価格的にも困難な面が多い（特開２００９−２２１６７３、）
【０００４】
同じく室内に設けた寝たきり高齢者などの介護用の風呂・トイレなどが一室にセットされているシェルターもあるが、設備的なコストは高額になり、火災や津波や洪水などへの対応は心もとない。（特開２００７−２６２８７５）
【０００５】
また住宅建設時にその一部の居住空間を室内シェルター化するものもあるが、これも、導入には住宅の改築など大掛かりであり倒壊や火災対策はなされているものの津波や洪水対策は不十分といえる。(特開平１０−００８７４３)
【０００６】
屋外設置型で地震及び津波対策は施されているが、先の東日本大震災のように海上火災への対応が及ばないものもある。（特開２００７−１７７６００）
【０００７】
そのほかにも防災シェルターは多々あり、堅牢性・防水性・耐火性・対浸水性などを兼ね備えていると規模が大きく、コスト的な合理性が小さくなる。（特開平１０−３１７５８１、特開２００６−３０７６２２、特開２０１２−２３３３２４）
【０００８】
以上、従来の室内組み立て型では、高齢者や要介護者及び乳幼児など緊急時に移動距離が短いという利点はあるものの、災害対応範囲が狭く限定的である。
コスト的にも設置条件でも簡易で既存の室内に設置可能な組立て型防災シェルターが求められている。
【先行技術文献】
【特許文献】
【０００９】
【特許文献１】特開平１０−０３７５０２号
【特許文献２】特開平１０−１８４０６８号
【特許文献３】特開２００５−０１６２９３号
【特許文献４】特開２００９−２９３３６３号
【特許文献５】特開２０１０−２２２８３０号
【特許文献６】特開２００９−２２１６７３号
【特許文献７】特開２００７−２６２８７５号
【特許文献８】特開平１０−００８７４３号
【特許文献９】特開２００７−１７７６００号
【特許文献１０】特開平１０−３１７５８１号
【特許文献１１】特開２００６−３０７６２２号
【特許文献１２】特開２０１２−２３３３２４号
【特許文献１３】特開２００８−０７４３８５号
【発明の概要】
【発明が解決しようとする課題】
【００１０】
防災シェルターとしては上記特許文献１〜１２など多々あるが、簡易型の防災シェルターの多くは地震災害での家屋倒壊時の破損物落下による人命保護のみで、天候などの事象に対応できない（特許文献１、２、３、４、５、６、７、８、９）。
その後の火災も課題としているものもあるが（特許文献６、１０、１１、１２）コストや設置環境に問題がある。津波に対応しているものは特許文献９、１２、１３とあるがこれらもコストや設置環境・その他災害への対応性に欠ける。
一部には多面に対応しているものもある（特許文献１２）が、これらも施設的に大きく、新たな土地と高額な資金を必要とする。
さらには高齢者や要介護者及び乳幼児を抱える家庭では、津波などからの避難が速やかにすることが困難であり室内に配置できる低コストで多面災害対応タイプで現状室内に簡単に組み立てられる防災シェルターが望まれている。また、被災後しばらくは防災シェルターで避難が続けられるとすれば安心度はアップする。本発明はこれらを包括した多面性のある組立て型防災シェルターを提供することにある。
【課題を解決するための手段】
【００１１】
本発明の組立て型防災シェルターは、
幅広の板材であって、この板材には所定の間隔で、且つ切り込み深さは板幅長の２分の1サイズとした嵌合・組み立てるための複数の切り込みが形成された複数枚を一つのグループとする横桟部材と、
幅広の板材であって、この板材には所定の間隔、且つ切り込み深さは板幅長の２分の1サイズとした嵌合・組み立てるための複数の切り込みが形成された複数枚を一つのグループとする縦桟部材とが
上記横桟部材と縦桟部材の少なくとも一方に形成した、接合するときに競合・重複する部分をカットした切り欠き部とを有し、
上記の横桟部材と縦桟部材の各板材を交差させ嵌合・組み立てて井桁状の構造体を作成し、
上記井桁状の構造体を組立て内部に空間を有する直方体状の骨格構造体を形成し、
この直方体状の骨格構造体の外側面に外側板を、内側面に内側板を設けて、
中央部に居住空間を有し、各壁内に区画された複数の気密室を構成したことを特徴とする。
尚この時、外側面に耐火性の高い石膏ボードなどの板材及びその保護のための金属板等を張り付けて、耐火構造の組立て型防災シェルターとする。
【００１２】
第２に、上記内側内壁面を形成する内側板に、気密室に合わせて着脱自在なドアを取り付け物入れとして使用することを特徴とする。
【発明の効果】
【００１３】
この発明によれば、簡易で既設の室内に組み立て可能でコスト的に有意な組立て型防災シェルターを提供することが可能となる。まず、この組立て型防災シェルターを日常の寝室として使用すると、地震時に就寝中であれば家屋の倒壊があってもそのままで安全確保がなされ、離床時でもこの中に入れば安全を確保できる。家屋が倒壊して、防災シェルターからの脱出が不可能時に火災が発生しても鎮火までの内部の居住空間での避難が可能となる。この時に気密室に非常用の機器として、酸素ボンベや消火器の準備があれば、より安全の確保に効果が出る。
【００１４】
地震後家屋の倒壊で、脱出不可能時に大きな津波が発生して、倒壊家屋と一緒に海上に流され、漂っても海上に浮かんで救助を待つことが可能となる。海上火災が発生しても安全の確保は可能となる。この時に非常用機器として、酸素ボンベや蓄電地や携帯電話の準備があれば、より有効な連絡・通信が可能となる。
【００１５】
風水害による土砂崩れや河川の氾濫で家屋の倒壊や土砂に埋もれたり、洪水による流出にもしばらくの間の安全の確保が可能である。この時に非常用の機器として酸素ボンベや蓄電池や携帯電話の準備があればより有効な手段となる。
【００１６】
またこの防災シェルターの気密室を活用して非常用機器、救急医療品、衣服、や靴、貴重品などを他部署から此処に移して、省スペース化と日常生活における利便性を高めることが可能となり防災シェルター内の滞在時間も長くなり。突発地震などへの対応確率も高くなる。
【００１７】
子供のベッドルームとしての活用を図れば、緊急時の避難場所としての躾で親の留守時でも安心が増すし、大人がいる場合にも子供とここに避難することで安心の確保が満たされる。
【００１８】
各気密室には、各々の位置に重量バランスを考慮した非常用機器、救急医療品、衣服や靴、水・食料、貴重品、快適空構間を構築するための電気配線を可能にするブレーカー、換気扇、クーラーなどの必要設備の配置が可能である。
【図面の簡単な説明】
【００１９】
【図１】この実施の形態に係る組立て型防災シェルターの斜視図である。
【図２】この実施の形態に係る組立て型防災シェルターの対角断面図である。
【図３】この実施の形態に係る組立て型防災シェルターの背面に平行な断面図である。
【図４】この実施の形態に係る組立て型防災シェルターの各面部構造体の基本となる板材の組み立て前の図である。
【図５】この実施の形態に係る組立て型防災シェルターの各面部構造体の基本となる板材の切り込み部の拡大図である。
【図６】この実施の形態に係る組立て型防災シェルターの構造体の基本嵌合図及び嵌合完了図である。
【図７】この実施の携帯に係る組立て型防災シェルターの各面部構造体の配置斜視図である。
【図８】この実施の形態に係る組立て型防災シェルターの左側面構造体の正面図と外側壁面の側面図の接合前の図である。
【図９】この実施の形態に係る組立て型防災シェルターの背面構造体に接合する内側壁面の正面図と背面構造体の外側壁面及び内側壁面の側面図である。
【図１０】この実施の形態に係る組立て型防災シェルターの背面内側壁面の埋め込みドアの図である。
【図１１】この実施の形態に係る組立て型防災シェルターの前面構造体部の正面図である。
【図１２】この実施の形態に係る組立て型防災シェルターの正面図である。
【図１３】この実施の形態に係る組立て型防災シェルターの前面構造体部の垂直断面図及び出入り口ドアと出入り口内ドアの正面図である。
【図１４】この実施の形態に係る組立て型防災シェルターの前面構造体部の水平断面図である。
【図１５】この実施の形態に係る組立て型防災シェルターの出入り口、内ドアの図である。
【図１６】この実施の形態に係る組立て型防災シェルターの出入り口ドアの図である。
【図１７】この実施の形態に係る組立て型防災シェルターの前面窓の図である。
【図１８】この実施の形態に係る防災シェルターの出入り口の内ドアストッパーの図である。
【発明を実施するための形態】
【００２０】
以下、この発明の実施の形態の実施例を添付図面に基づいて説明する。各構成部材の材質は、木材合板を基本として説明するが、強化段ボール・樹脂・金属類・コンクリートなど現存するすべてのものを利用し得るものとする。
【００２１】
この発明の形態に係る組立て型防災シェルターの斜視図を図１に示す。この組立て型防災シェルターは気密性を旨とし、開口部は前面の出入り口７一つと窓８一つを基本とし、住宅の一室に組み立て設置が可能な直方体の構築物であり、高さは住宅の部屋の内寸に合わせて組み立て可能な高さ・幅・長さを任意に決定することが可能である。
【００２２】
図２は、この組立て型防災シェルターの対角面の断面図Ａ−Ａであり、上下・左右・前後に多数の気密室９ａ、１０ａ、１１ａ，１２ａ，などを構成している。気密室はこのシェルターのサイズとそれに見合う板厚とによりこの気密室のサイズ変更が可能である。この気密室が浮力・防音効果・断熱効果を高め居住性を高める。これらの気密室で囲まれた中央部に、居住空間１３が位置し、居住空間１３の周囲を気密室が包囲していることがこの組立て型防災シェルターの特徴の一つである。居住空間１３はいずれの面もシェルター外壁とは気密室により隔離されている。
【００２３】
図３は、この組立て型防災シェルターの背面に平行する断面図Ｂ−Ｂであり、上外板1、下外板２、右側外板３、左側外板４で囲まれた、上面構造体９、床面構造体１０、右側面構造体１２、左側面構造体１７をターンバックルなどにより組み合わせ接合することによって、中央部に構成する空間がこの組立て型防災シェルターの居住空間１３となる。正面中央に背面構造体１１を遮蔽する背面内壁１４の範囲が居住空間１３でありこの居住空間１３をベッドや子供部屋として活用が可能である。背面内壁１４の中央部には、背面構造体１１と背側外板５と背面内壁１４とで作られる気密室の背面内壁埋め込みドア１６を設ける。この埋め込みドアは居住空間１３の周囲のいずれの内壁にも設けることが任意であり、この組立て型防災シェルターのバランスをコントロールするためにこの埋め込みドアの中に配備する各機器・備品の重量も考慮する必要はある。
【００２４】
図４は、この組立て型防災シェルターを構成する構造体の板材の基本図あり、２種の形状がある。各構造体を接合・組み立てるときに競合・重複する部分をあらかじめ切り欠いて製作しておく。また水平グループの板材と垂直グループの板材は其々井桁状に交差させて嵌合・接合するために、其々切り込みを入れておく。この切り込みは板幅の２分の１のサイズ（Ｃ−Ｃ線まで）であり切り込み幅は板厚と同じとする。これにより気密性の高い結合力のある構造体を構成することが可能となりこの組立て型防災シェルターの特徴のポイントである。
【００２５】
図５は図４の組立て型防災シェルターを構成する構造体の板材の切り込み部の拡大図であり、２種類の形状の板材の切り込み形状はすべて同じで切り込み幅ｅ＝板厚ｄである。其々の切り込み部の切り込み口は嵌合の容易性を高めるために角を落としておく。
【００２６】
図６はこの組立て型防災シェルターを構成する構造体の基本組み立ての手順図でありこの場合は、水平板グループに垂直板グループを井桁状に交差し挿し込み、嵌合・組み立てていく。この水平板グループと垂直板グループの嵌合・組み立てがこの組立て型防災シェルターの強度を高め、ポイントの一つである。その完成型が構造体１９となる。
【００２７】
図７は組立て型防災シェルターを構成する各面の構造体の位置関係を示した図であり、上面構造体９と床面構造体１０が上下に位置し背面構造体１１と前面構造体２０が前後に、右側面構造体１２と左側面構造体１７が右左に位置する。これらの構造体がこの組立て型防災シェルターの強度を高め浮力を生じせしめるポイントであり、居住空間１３の安全性及び快適性を高めることが特徴である。
【００２８】
図８は組立て型防災シェルターを構成する左側面構造体１７の正面図に上下・左右から其々上外板１、下外板２、背側外板５、前側外板６を接合させる。
其々の面の各構造体を単独でみるとこのように簡易な組み立て構造であるが、これが上下・左右・前後と組みあがると強固な組立て型防災シェルターとなることが特徴である。
【００２９】
図９は居住空間１３の上下・左右・前後を直接包囲する内面壁の一面である背壁面正面１４ａ及び側面１４ｂの図であり、背面構造体部気密室１４ｃを構成する内壁埋め込みドア１６の正面と側面の図であり内壁埋め込みドア取っ手ｈを持つ。この気密室１４ｃを構成するドア内を非常用機器、救急医療品、衣服や靴、水・食料、貴重品入れとして活用し居住性を高めた組立て型防災シェルターとすることが可能であり、通常の本箱・小物入れなどにも活用度を広げることが可能であり特徴である。
【００３０】
図１０は内壁埋め込みドア１６の側面と正面の図であり、ドアの側面周囲には気密性を保持するパッキンｉを有し一面はヒンジｊで内壁面に固定する。また開閉用の取っ手ｈを持つ。この取っ手ｈは災害時の人身保護のために金属などの強固なものは避ける。軟質系で強靭なものを良しとする。
【００３１】
図１１は組立て型防災シェルター前面構造体の正面図である。出入り口７ａと窓口８ａを持ち、出入り口７ａには出入り口ドアストッパーｋをつける。尚組み立ての手順と入口のスペース上、構造体組み付け治具のターンバックルの垂直方向の位置は背面側と異なり一気密室外側に配置する。
【００３２】
図１２は組立て型防災シェルターの正面図であり、組立て型防災シェルターの居住空間１３への出入り口ドア７と窓８の開口部を有する。この開口部はこの２か所を基本とするが、窓や外部状況をみる覗き穴は任意に各面に取り付けることが可能である。またこの組立て型防災シェルターを設置する室内の中央部側に出入り口ドア７と窓８を向けておくことで活用度を高めることが可能となる。
【００３３】
図１３は組立て型防災シェルターの前面構造体部の垂直断面図Ｄ−Ｄで出入り口ドア部の側面図及びそこにセットされるべき出入り口ドア７の正面図と出入り口内ドア２３の正面図である。ここには出入り口ドアノストッパーｋ、出入り口ドアの取っ手ｌ、出入り口内ドアストッパーｍを設ける。また出入り口ドアは、内部構造体にヒンジｎで固定する。出入り口内ドア２３及び出入り口内ドアストッパーｍは内部構造体とは固定せずに、非常時のみの取り付けで居住空間１３の安全を強化する。
【００３４】
図１４は組立て型防災シェルターの前面構造体部の水平断面図Ｅ−Ｅで組立て型防災シェルター出入り口ドア部と窓部の水平切り口を表示している。ここでは非常時の出入り口内ドア２３と出入り口内ドアストッパーｍの取り付け状態を図示している。また組立て型防災シェルター窓には内側のみに組立て型防災シェルター窓取っ手ｐを取り付ける。
【００３５】
図１５は組立て型防災シェルター出入り口内ドア２３の正面図と折りたたみ時の図２３ａと内ドアの側面コーナー部ｑの部分拡大図２３ｂである。日常はこの出入り口内ドアは出入り口ドアヒンジｎを軸に図のように折りたたんで、居住空間内１３内に保管しておく。また出入り口内ドア板の側面周囲にはパッキンｒを取り付けて、出入り口内ドアの気密性を高め居住空間１３の安全強化を図る。
【００３６】
図１６は組立て型防災シェルター出入り口ドア７の正面図とコーナー部ｓの拡大図７ｂであり、この側面には気密性を高めるためにパッキンｔを取り付ける。出入り口ドア７の気密性を保持することでこの組立て型防災シェルターは、非常時はほぼ気密性の保持が可能となる。
【００３７】
図１７は組立て型防災シェルター窓８の正面図８と側面図８ａであり開閉用の窓取手ｐがあり、気密性を高めるための窓用パッキンｖを取り付ける。また前面構造体に窓用ヒンジｕで固定する。
【００３８】
図１８は組立て型防災シェルター出入り口内ドアストッパーｍの拡大図であり、内ドアストッパー丸棒ｗ、内ドアストッパー用スプリングｘ、内ドアストッパー用パイプｙからなる。これも日常は使用せず居住空間１３に保管しておく。
【産業上の利用可能性】
【００３９】
昨今とみに自然災害の脅威と被害状況の検証がマスコミで取り上げられ、人々の関心も高くなってきている。これに加えて南海トラフ巨大地震の被害想定などが発表され、各関連自治体のみならず、人々にも防災意識が高まってきているが人々の思惑に合致した低コストで、既設の室内に設置可能な組立て型防災シェルターが出来ていない。この需要を喚起することが可能である。
【符号の説明】
【００４０】
１  上外板
２  下外板
３  右側外板
４  左側外板
５  背側外板
６  前側外板
７  出入り口ドア
７ａ  出入り口
７ｂ  出入り口コーナー拡大部
８  窓
８ａ  窓口
９  上面構造体
９ａ  上面構造体部気密室
１０  床面構造体
１０ａ  床面構造体部気密室
１１  背面構造体
１２  右側面構造体
１２ａ  右側面構造体部気密室
１３  居住空間
１４  背面内壁
１４ａ  背面内壁正面
１４ｂ  背面内壁側面
１４ｃ  背面構造体部気密室
１５  右側壁面
１６  内壁埋め込みドア
１７  左側面構造体
１７ａ  左側面構造体部気密室
１８  固定用ターンバックル
１９  基本構造体組み立て完了体
２０  前面構造体  
２１  基本外側面  
２２  基本外側面溝
２３  出入り口内ドア
２３ａ  出入り口内ドア折りたたみ
２３ｂ  出入り口内ドアコーナー拡大部
イ  構造体板面の競合・重複部（切り欠き部）
ａ  板幅の2分の１長
ｂ  切り込み深さサイズ
ｃ  切り込み部
ｄ  板厚
ｅ  切り込み幅サイズ
ｆ  外面板切り込み部
ｇ  構造体板
ｈ  内壁埋め込みドア取っ手
ｉ  内壁埋め込みドア用パッキン
ｊ  内壁埋め込みドアヒンジ
ｋ  出入り口ドアストッパー
ｌ  出入り口ドア取っ手
ｍ  出入り口、内ドアストッパー
ｎ  出入り口ドアヒンジ
ｏ  出入り口、内ドア取っ手
ｐ  窓取っ手
ｑ  出入り口内ドア、コーナー部
ｒ  出入り口内ドア用パッキン
ｓ  出入り口ドア、コーナー部
ｔ  出入り口ドア用パッキン
ｕ  窓ヒンジ
ｖ  窓用パッキン
ｗ  出入り口、内ドアストッパー用丸棒
ｘ  内ドアストッパー用スプリング
ｙ  内ドアストッパー用パイプ
【図１】
2014125817.tif 000003
【図２】
2014125817.tif 000004
【図３】
2014125817.tif 000005
【図４】
2014125817.tif 000006
【図５】
2014125817.tif 000007
【図６】
2014125817.tif 000008
【図７】
2014125817.tif 000009
【図８】
2014125817.tif 000010
【図９】
2014125817.tif 000011
【図１０】
2014125817.tif 000012
【図１１】
2014125817.tif 000013
【図１２】
2014125817.tif 000014
【図１３】
2014125817.tif 000015
【図１４】
2014125817.tif 000016
【図１５】
2014125817.tif 000017
【図１６】
2014125817.tif 000018
【図１７】
2014125817.tif 000019
【図１８】
2014125817.tif 000020